(57)【要約】【課題】繰り返してのオーバーライトによっても品質劣化が生じにくい記録媒体等を提供する。【解決手段】上書記録が可能な記録媒体に、所望のコンテンツ情報を表わすコンテンツ情報記録部分と、少なくとも２種類のパターンで定義されるシンク検出子を含む、コンテンツ情報の読出しの際に同期をとるシンクコードを表わすシンクコード記録部分と、を形成してコンテンツ情報を記録する。【選択図】  図９
2005056464.tif 000002
【特許請求の範囲】
【請求項１】
上書記録が可能な記録媒体であって、
所望のコンテンツ情報を表わすコンテンツ情報記録部分と、
前記コンテンツ情報の読出しの際に同期をとるシンクコードを表わすシンクコード記録部分と、
が形成され、
前記シンクコード記録部分が、少なくとも２種類のパターンで定義され、当該シンクコードとして検出されるための検出部を少なくとも有する当該シンクコードを形成することを特徴とする記録媒体。
【請求項２】
請求項１に記載の記録媒体において、
前記シンクコード記録部分が、前記パターン毎に長さの異なる記録パターンで定義される前記検出部を少なくとも有する当該シンクコードを形成することを特徴とする記録媒体。
【請求項３】
請求項１又は２に記載の記録媒体において、
前記検出部が複数の構成要素に基づいて形成される場合に、
前記シンクコード記録部分が、前記パターン毎に前記構成要素の組み合わせが異なる記録パターンで定義される前記検出部を少なくとも有する当該シンクコードを形成することを特徴とする記録媒体。
【請求項４】
請求項１乃至３の何れか一項に記載の記録媒体において、
前記シンクコード記録部分が、前記記録媒体の周方向に対して、前記コンテンツ記録部分における最大長の記録部分より長い記録部分により定義される前記検出部を少なくとも有する当該シンクコードを形成することを特徴とする記録媒体。
【請求項５】
請求項１乃至４のいずれか一項に記載の記録媒体において、
前記シンクコード記録部分が、前記検出部と前記シンクコードのコンテンツ情報におけるデータ配列位置を特定する特定部を有するシンクコードを形成することを特徴とする記録媒体。
【請求項６】
請求項１乃至５のいずれか一項に記載の記録媒体において、
前記シンクコード記録部分が、前記各コンテンツ記録部分に対して一定間隔で形成されることを特徴とする記録媒体。
【請求項７】
上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録装置であって、
前記シンクコード記録部分における前記シンクコードの種別の何れか１を選択するシンクコード選択手段と、
前記コンテンツ情報記録部分と前記選択されたシンクコードで形成された検出部を有するシンクコードを形成するシンクコード記録部分とを前記記録媒体に形成する記録部分形成手段と、
を備えることを特徴とする記録装置。
【請求項８】
請求項７に記載の記録装置において、
前記パターン毎に長さの異なる記録パターンで定義される前記検出部を少なくとも有する当該シンクコードを形成する前記シンクコード記録部分を前記記録媒体に記録する場合であって、
前記記録部分形成手段が、前記シンクコード選択手段によって選択された前記シンクコードの種別に基づいて、前記パターン毎に長さの異なる記録パターンで定義される前記検出部を有するシンクコード記録部分を生成し、当該生成したシンクコード記録部分を前記記録媒体に形成することを特徴とする記録装置。
【請求項９】
請求項７又は８に記載の記録装置において、
前記検出部が複数の構成要素に基づいて形成される場合に、
前記記録部分形成手段が、前記パターン毎に前記構成要素の組み合わせが異なる記録パターンで定義される前記検出部を少なくとも有するシンクコード記録部分を生成し、当該生成したシンクコード記録部分を前記記録媒体に形成することを特徴とする記録装置。
【請求項１０】
請求項７乃至９の何れか一項に記載の記録装置において、
前記記録部分形成手段が、前記各コンテンツ記録部分に対して一定間隔によって前記シンクコード記録部分を前記記録媒体に形成することを特徴とする記録装置。
【請求項１１】
所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生装置であって、
前記コンテンツ情報記録部分と前記シンクコード記録部分を前記記録媒体から読み取る読取手段と、
前記読み取られたシンクコード記録部分の情報に含まれる前記検出部の情報に基づいて前記シンクコードを検出するシンクコード検出手段と、
前記検出したシンクコードに基づいて前記コンテンツ情報を再生する再生手段と、
を備えたことを特徴とする再生装置。
【請求項１２】
請求項１１に記載の再生装置において、
前記パターン毎に長さの異なる記録パターンで定義される検出部を少なくとも有する当該シンクコードを形成する前記シンクコード記録部分が形成されている前記記録媒体を再生する場合であって、
前記シンクコード検出手段が、前記パターン毎に長さの異なる記録パターンで定義される前記検出部を検出することにより前記シンクコードを検出することを特徴とする再生装置。
【請求項１３】
請求項１０又は１１に記載の再生装置において、
前記パターン毎に構成要素の組み合わせが異なる記録パターンで定義される前記検出部を少なくとも有する当該シンクコードを形成する前記シンクコード記録部分が形成されている前記記録媒体を再生する場合であって、
前記シンクコード検出手段が、前記パターン毎に構成要素の組み合わせが異なる記録パターンで定義される前記検出部を検出することにより、前記シンクコード記録部分を検出することを特徴とする再生装置。
【請求項１４】
上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録方法であって、
前記シンクコード記録部分における前記シンクコードの種別の何れか１を選択するシンクコード選択工程と、
前記コンテンツ情報記録部分と前記選択されたシンクコードで形成された検出部を有するシンクコードを形成するシンクコード記録部分とを前記記録媒体に形成する記録部分形成工程と、
を含むことを特徴とする記録方法。
【請求項１５】
請求項１４に記載の記録方法において、
前記パターン毎に長さの異なる記録パターンで定義される前記検出部を少なくとも有する当該シンクコードを形成する前記シンクコード記録部分を前記記録媒体に記録する場合であって、
前記記録部分形成工程においては、前記シンクコード選択手段によって選択された前記シンクコードの種別に基づいて、前記パターン毎に長さの異なる記録パターンで定義される前記検出部を有するシンクコード記録部分が生成され、当該生成したシンクコード記録部分が前記記録媒体に形成されることを特徴とする記録方法。
【請求項１６】
請求項１４又は１５に記載の記録方法において、
前記検出部が複数の構成要素に基づいて形成される場合に、
前記記録部分形成工程においては、前記パターン毎に前記構成要素の組み合わせが異なる記録パターンで定義される前記検出部を少なくとも有するシンクコード記録部分が生成され、当該生成されたシンクコード記録部分が前記記録媒体に形成されることを特徴とする記録方法。
【請求項１７】
所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生方法であって、
前記コンテンツ情報記録部分と前記シンクコード記録部分を前記記録媒体から読み取る読取工程と、
前記読み取られたシンクコード記録部分の情報に含まれる前記検出部の情報に基づいて前記シンクコードを検出するシンクコード検出工程と、
前記検出したシンクコードに基づいて前記コンテンツ情報を再生する再生工程と、を含むことを特徴とする再生方法。
【請求項１８】
請求項１７に記載の再生方法において、
前記パターン毎に長さの異なる記録パターンで定義される検出部を少なくとも有する当該シンクコードを形成する前記シンクコード記録部分が形成されている前記記録媒体を再生する場合であって、
前記シンクコード検出工程においては、前記パターン毎に長さの異なる記録パターンで定義される前記検出部が検出されることにより前記シンクコードを検出することを特徴とする再生方法。
【請求項１９】
請求項１７又は１８に記載の再生方法において、
前記パターン毎に構成要素の組み合わせが異なる記録パターンで定義される前記検出部を少なくとも有する当該シンクコードを形成する前記シンクコード記録部分が形成されている前記記録媒体を再生する場合であって、
前記シンクコード検出工程においては、前記パターン毎に構成要素の組み合わせが異なる記録パターンで定義される前記検出部が検出されることにより、前記シンクコード記録部分が検出されることを特徴とする再生方法。
【請求項２０】
コンピュータによって、上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録プログラムであって、
前記コンピュータを、
前記シンクコード記録部分における前記シンクコードの種別の何れか１を選択するシンクコード選択手段、
前記コンテンツ情報記録部分と前記選択されたシンクコードで形成された検出部を有するシンクコードを形成するシンクコード記録部分とを前記記録媒体に形成させる記録部分形成制御手段、
として機能させることを特徴とする記録プログラム。
【請求項２１】
請求項２０に記載の記録プログラムにおいて、
前記パターン毎に長さの異なる記録パターンで定義される前記検出部を少なくとも有する当該シンクコードを形成する前記シンクコード記録部分を前記記録媒体に記録する場合であって、
前記コンピュータを、前記シンクコード選択手段によって選択された前記シンクコードの種別に基づいて、前記パターン毎に長さの異なる記録パターンで定義される前記検出部を有するシンクコード記録部分を生成し、当該生成したシンクコード記録部分前記記録媒体に形成する前記記録部分形成制御手段として機能させることを特徴とする記録プログラム。
【請求項２２】
コンピュータによって、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生プログラムであって、
前記コンピュータを、
前記コンテンツ情報記録部分と前記シンクコード記録部分を前記記録媒体から読み取らせる読取制御手段、
前記読み取らせたシンクコード記録部分の情報に含まれる前記検出部の情報に基づいて前記シンクコードを検出するシンクコード検出手段、
前記検出したシンクコードに基づいて前記コンテンツ情報を再生させる再生制御手段、
として機能させることを特徴とする再生プログラム。
【請求項２３】
請求項２２に記載の再生プログラムにおいて、
前記パターン毎に長さの異なる記録パターンで定義される検出部を少なくとも有する当該シンクコードを形成する前記シンクコード記録部分が形成されている前記記録媒体を再生する場合であって、
前記コンピュータを、前記パターン毎に長さの異なる記録パターンで定義される前記検出部を検出することにより前記シンクコードを検出する前記シンクコード検出手段として機能させることを特徴とする再生プログラム。
【請求項２４】
請求項２２又は２３に記載の再生プログラムにおいて、
前記パターン毎に構成要素の組み合わせが異なる記録パターンで定義される前記検出部を少なくとも有する当該シンクコードを形成する前記シンクコード記録部分が形成されている前記記録媒体を再生する場合であって、
前記コンピュータを、
前記パターン毎に構成要素の組み合わせが異なる記録パターンで定義される前記検出部を検出することにより、前記シンクコード記録部分を検出する前記シンクコード検出手段として機能させることを特徴とする再生プログラム。
【発明の詳細な説明】
【０００１】
【発明の属する技術分野】
本発明は、記録媒体、記録装置及び再生装置、記録方法及び再生方法、並びに、記録処理プログラム及び再生処理プログラムに関する。
【０００２】
【従来の技術】
ＤＶＤ−ＲＷに代表される相変化型記録媒体等の、上書記録（以下、オーバーライトと称する場合がある。）が可能な記録媒体（以下、記録媒体と称する。）では、当該記録媒体の記録面の結晶構造を変化させることにより記録部分を形成し、所望のコンテンツ情報を記録している。
【０００３】
当該記録媒体にコンテンツ情報を記録するには、当該コンテンツ情報を複数のセクタに分割して誤り訂正符号化及び変調を施し、更に同期情報としてのシンクコードを付加して生成される記録フォーマットに基づいて、記録マークやスペースの記録部分を形成し、コンテンツ情報を記録することが規格により定められている。
【０００４】
また、上記シンクコードは、分割されたコンテンツ情報のそれぞれの始端と終端とを特定するための同期情報であり、１４Ｔと４Ｔの組合せにより定義される識別のための符号（以下、シンク検出子と称する）を含んで構成されることが規格により定められている。
【０００５】
【発明が解決しようとする課題】
上述した従来技術においては、上述のように１４Ｔと４Ｔの組合せによる１種類のパターンで定義されるシンク検出子を含んでシンクコードが構成されており、当該シンクコードのシンク検出子を示す記録マークのエッジは、常に同じ位置にくることになる。従って、オーバーライト前後で、シンク検出子の記録部分のエッジは重なることになる。この場合、エッジが重なる位置において記録媒体の物理的特性の劣化が生じ、繰り返しのオーバーライトにより当該位置の劣化が著しくなると記録マークの識別ができなくなるという問題が生じる。
【０００６】
本発明が解決しようとする課題には、上述した問題が一例として挙げられる。
【０００７】
【課題を解決するための手段】
請求項１に記載の発明は、上書記録が可能な記録媒体であって、所望のコンテンツ情報を表わすコンテンツ情報記録部分と、前記コンテンツ情報の読出しの際に同期をとるシンクコードを表わすシンクコード記録部分と、が形成され、前記シンクコード記録部分が、少なくとも２種類のパターンで定義され、当該シンクコードとして検出されるための検出部を少なくとも有する当該シンクコードを形成する構成を有している。
【０００８】
請求項７に記載の発明は、上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録装置であって、前記シンクコード記録部分における前記シンクコードの種別の何れか１を選択するシンクコード選択手段と、前記コンテンツ情報記録部分と前記選択されたシンクコードで形成された検出部を有するシンクコードを形成するシンクコード記録部分とを前記記録媒体に形成する記録部分形成手段と、を備える構成を有している。
【０００９】
請求項１１に記載の発明は、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生装置であって、前記コンテンツ情報記録部分と前記シンクコード記録部分を前記記録媒体から読み取る読取手段と、前記読み取られたシンクコード記録部分の情報に含まれる前記検出部の情報に基づいて前記シンクコードを検出するシンクコード検出手段と、前記検出したシンクコードに基づいて前記コンテンツ情報を再生する再生手段と、を備えた構成を有している。
【００１０】
請求項１４に記載の発明は、上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録方法であって、前記シンクコード記録部分における前記シンクコードの種別の何れか１を選択するシンクコード選択工程と、前記コンテンツ情報記録部分と前記選択されたシンクコードで形成された検出部を有するシンクコードを形成するシンクコード記録部分とを前記記録媒体に形成する記録部分形成工程と、を含む構成を有している。
【００１１】
請求項１７に記載の発明は、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生方法であって、前記コンテンツ情報記録部分と前記シンクコード記録部分を前記記録媒体から読み取る読取工程と、前記読み取られたシンクコード記録部分の情報に含まれる前記検出部の情報に基づいて前記シンクコードを検出するシンクコード検出工程と、前記検出したシンクコードに基づいて前記コンテンツ情報を再生する再生工程と、を含む構成を有している。
【００１２】
請求項２０に記載の発明は、コンピュータによって、上書記録が可能な記録媒体に、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、を記録する記録プログラムであって、前記コンピュータを、前記シンクコード記録部分における前記シンクコードの種別の何れか１を選択するシンクコード選択手段、前記コンテンツ情報記録部分と前記選択されたシンクコードで形成された検出部を有するシンクコードを形成するシンクコード記録部分とを前記記録媒体に形成させる記録部分形成制御手段、として機能させる構成を有している。
【００１３】
請求項２２に記載の発明は、コンピュータによって、所望のコンテンツ情報を表わすコンテンツ情報記録部分と、少なくとも２種類のパターンで定義され、当該シンクコードとして検出されるための検出部を少なくとも有する当該シンクコードを形成するシンクコード記録部分と、が記録された記録媒体を再生する再生プログラムであって、前記コンピュータを、前記コンテンツ情報記録部分と前記シンクコード記録部分を前記記録媒体から読み取らせる読取制御手段、前記読み取らせたシンクコード記録部分の情報に含まれる前記検出部の情報に基づいて前記シンクコードを検出するシンクコード検出手段、前記検出したシンクコードに基づいて前記コンテンツ情報を再生させる再生制御手段、として機能させる構成を有している。
【００１４】
【発明の実施の形態】
以下、本発明の実施の形態について図面を参照して説明する。以下に示す実施の形態は、本発明を記録媒体としてのＤＶＤ−ＲＷに適用した場合の実施の形態である。
【００１５】
（１）記録媒体
始めに、本実施形態に係る記録媒体としてのＤＶＤ−ＲＷの構成について説明する。以下では、ＤＶＤ−ＲＷの情報記録面の構成について説明した後、当該情報記録面に記録するコンテンツ情報の記録フォーマットについて詳細に説明する。
【００１６】
（１−１）情報記録面の構成
先ず、ＤＶＤ−ＲＷの情報記録面の構成について図１を参照して説明する。図１はＤＶＤ−ＲＷの情報記録面の構成を示す図である。
【００１７】
図１に示すように、ＤＶＤ−ＲＷ１００の情報記録面は、中心部に、固定のためのクランプ孔１０２を備えており、当該クランプ孔１０２から順に外側に、リードイン領域１０３、データ記録領域１０４及びリードアウト領域１０５を備えている。そして、リードイン領域１０３、データ記録領域１０４及びリードアウト領域１０５には、連続する１本の記録トラックＴが形成されており、当該記録トラックＴには以下の記録される情報の内容を示す記録マークＭおよびスペースＳの複数の記録部分が形成されている。
【００１８】
リードイン領域１０３は、ＤＶＤ−ＲＷ１００の記録時及び再生時において最初にアクセスされる領域であり、当該リードイン領域１０３には、ＤＶＤ−ＲＷ１００に関する情報及びコンテンツ情報に関する各種の情報などが記録されている。データ記録領域１０４は、画像情報や音声情報等のコンテンツ情報を記録する領域であり、当該データ記録領域１０４には、付加情報が重合され変調された状態のコンテンツ情報が記録されている。
【００１９】
なお、データ記録領域１０４に記録されるコンテンツ情報の記録フォーマットについては後述する。
【００２０】
また、リードアウト領域１０５は、データ記録領域１０４に後続する領域であり、当該リードアウト領域１０５には、リードアウト領域１０５であることを示す情報が記録されている。
【００２１】
なお、以下の説明において、記録マークＭおよびスペースＳのエッジＥについて説明する箇所があるが、記録マークＭおよびスペースＳのエッジＥとは一の記録マークＭおよびスペースＳである記録部分における端部をいい、即ち当該記録マークＭと隣り合うスペースＳとの境を示す部分をいう。ＤＶＤ−ＲＷ１００では、結晶構造を変化させることにより、記録マークＭとスペースＳを示す記録部分を形成するので、記録マークＭの部分である結晶化部分とスペースＳの部分である非晶化部分の境界がエッジＥとなる。また、例えば、本実施形態の記録マークＭおよびスペースＳは、本発明の記録部分を構成している。
【００２２】
（１−２）コンテンツ情報の記録フォーマット
次に、コンテンツ情報の記録フォーマットについて詳細に説明する。
【００２３】
始めに、ＤＶＤ−ＲＷ１００に記録する情報の記録単位であるセクタについて説明する。セクタは、記録するコンテンツ情報を誤り訂正符号化、及び、変調してディスク上に記録するまでの段階に応じて、データセクタ、記録セクタ及び物理セクタの３段階のセクタ構造をとる。データセクタはコンテンツ情報である主データとセクタ番号等からなる基本セクタであり、記録セクタはデータセクタの各データにスクランブルをかけ誤り訂正符号化したセクタである。また、物理セクタは記録セクタをフレーム構造に変調したセクタである。
【００２４】
次に、以上の各セクタにおける記録フォーマットについて説明する。
【００２５】
（１−２−１）データセクタ
先ず、データセクタについて図２〜４を参照して説明する。図２はデータセクタにおける単位セクタの構造を示す模式図であり、図３は付加情報領域の構造を示す模式図であり、図４はＥＣＣブロックの構造を示す模式図である。
【００２６】
先ず、図２に示すように、データセクタにおける単位セクタ１１０は１７２バイト×１２行の配列構造をとり、主データを記録するための主データ領域の先頭にＩＤ（Ｉｄｅｎｔｉｆｉｃａｔｉｏｎ  Ｄａｔａ）領域１１２、ＩＥＤ（ＩＤ  Ｅｒｒｏｒ  Ｄｅｔｅｃｔｉｏｎ  ｃｏｄｅ）領域１１３及びＲＳＶ（Ｒｅｓｅｒｖｅ）領域１１４の各領域が付加され、また末尾にＥＤＣ（Ｅｒｒｏｒ  Ｄｅｔｅｃｔｉｏｎ  Ｃｏｄｅ）領域１１６が付加された構造である。ＩＤ領域１１２はセクタ番号、セクタの属する層、領域などの情報を記録する領域であり、ＩＥＤ領域１１３はＩＤの誤り検出用パリティを記録する領域である。また、ＲＳＶ域１１４はコピープロテクト情報等のシステム予約データを記録する領域であり、本実施形態では当該ＲＳＶ域１１４の一部を付加情報領域１１５とする。当該付加情報領域１１５には、乱数に基づく付加情報が設定される。また、ＥＤＣ領域１１６は当該データセクタ全体の誤り検出用パリティを記録する領域である。
【００２７】
図３に示すように、付加情報領域１１５はＲＳＶ域１１４の一部に設けられる。即ち、ｂ０〜ｂ４７までの４８ビット（６バイト）で定義されるＲＳＶ域１１４におけるｂ０〜ｂ７までの８ビット（１バイト）に付加情報領域１１５を設ける。そして、この付加情報領域１１５には、前述のように、乱数に基づく付加情報が代入される。具体的には、後述するように、記録再生装置のエンコーダにおいて乱数を発生させ、当該乱数を２進法で表した情報（付加情報）が付加情報領域１１５に代入されることになる。従って、付加情報は、コンテンツ情報を記録する毎に変動する情報となる。
【００２８】
上記各領域にＩＤ、ＩＥＤ、ＲＳＶ、付加情報及びＥＤＣが付加された後に、単位セクタ１１０はＰＮ（Ｐｓｅｕｄｏ  Ｎｏｉｓｅ）系列データ加算によるスクランブルが施され、更に１６個の単位セクタ１１０が連結されて誤り訂正符号化され、ＥＣＣ（Ｅｒｒｏｒ  Ｃｈｅｃｋｉｎｇ  ａｎｄ  Ｃｏｒｒｅｃｔｉｎｇ）ブロックが生成される。
【００２９】
図４に示すように、ＥＣＣブロック１２０は、連続する１６個の単位セクタ１１０で形成される１７２バイト×１９２行の配列に対して、１６行のＰＯ（Ｐａｒｉｔｙ  ｏｆ  ｔｈｅ  Ｏｕｔｅｒ  ｃｏｄｅ）パリティと１０列のＰＩ（Ｐａｒｉｔｙ  ｏｆ  ｔｈｅ  Ｉｎｎｅｒ  ｃｏｄｅ）パリティが付加された配列構造をとる。これらパリティの生成は、先ず１７２列の各列に対して１６バイトのＰＯパリティ１２１を付加し、次にＰＯパリティ１２１を含む２０８行の各行に対して１０バイトのＰＩパリティ１２２を付加して行なわれる。なお、ＰＯパリティ１２１及びＰＩパリティ１２２はリード・ソロモン積符号であるので、上記と逆の順序で生成してもよい。
【００３０】
ここで、各ＰＯパリティ１２１は、符号化の対象とする列に記録される情報の内容に応じて変化し、また、各ＰＩパリティ１２２は、符号化の対象とする行に記録される情報の内容に応じて変化する。従って、付加情報領域１１５を符号化の対象とするＰＯパリティ１２１及びＰＩパリティ１２２は、当該付加情報領域１１５に記録される付加情報の変動に応じて変化することになる。そして、上述のように付加情報はコンテンツ情報を記録しようとする毎に変動するので、付加情報以外の情報（即ち、コンテンツ情報）が同一となる場合であっても、付加情報領域１１５を符号化の対象とするＰＯパリティ１２１及びＰＩパリティ１２２は変化することになる。
【００３１】
つまり、ＤＶＤ−ＲＷ１００にコンテンツ情報をオーバーライトするにあたって、オーバーライト前後でコンテンツ情報の内容が部分的に同一となる場合においても、当該コンテンツ情報の内容が同一となる部分に対応するＥＣＣブロック１２０における付加情報領域１１５及び付加情報領域１１５を符号化の対象とするＰＯパリティ１２１及びＰＩパリティ１２２の内容がオーバーライトの前後で異なることになる。具体的には、１つのＥＣＣブロック１２０内で、オーバーライトの前後で、付加情報領域１１５の１６バイト、ＰＯパリティ１２１の１６バイト、及び、ＰＩパリティ１２２の１６０バイトの合計１９２バイトが異なることになる。
【００３２】
（１−２−２）記録セクタ
次に、記録セクタについて図５を参照して説明する。図５は記録セクタの構造を示す模式図である。
【００３３】
記録セクタ１３０は、上記ＥＣＣブロック１２０について１６行のＰＯパリティ１２１を一行ずつ各セクタの最終行にインターリーブすることにより生成される。
【００３４】
図５に示すように、記録セクタ１３０は、１２行の各セクタの最終行に１行のＰＯパリティ１２１が付加された１８２バイト×１３（１２＋１）行構成の配列構造をとる。このようにＰＯパリティ１２１をインターリーブすることによって、付加情報の変化に応じて変化するＰＯパリティ１２１を、ＥＣＣブロック１２０内で分散させて配置させることができ、ひいては後述する８／１６変調後のコード配列をより大きく変化させることができ、オーバーライト前後での記録マークＭおよびスペースＳのエッジＥの重なりを一層低減することにつながる。
【００３５】
（１−２−３）物理セクタ
次に、物理セクタについて図６〜９を参照して説明する。図６は物理セクタの構造を示す模式図であり、図７は８／１６変調に用いる変調テーブルを示す図であり、図８は従来のシンクコードのパターンを示す図であり、図９は本実施形態のシンクコードのパターンを示す図である。
【００３６】
前述の記録セクタ１３０を８／１６変調した後に、各行を２等分して、それぞれの先頭にシンクコード１４１を付加することにより物理セクタ１４０が生成される。
【００３７】
図６に示すように、物理セクタ１４０は、９１バイトずつに２分割された領域のそれぞれの先頭に２バイトのシンクコード１４１を付加した構造となっている。
【００３８】
以下、８／１６変調及びシンクコード１４１について詳細に説明する。
【００３９】
（Ａ）８／１６変調
先ず、８／１６変調について説明する。
【００４０】
８／１６変調は、図７に示す変調テーブルを用いて行なわれる。図７に示すように、変調テーブルはメイン変換テーブルとサブ変換テーブルの２つの変換テーブルで構成され、各変換テーブルは８ビットデータに対してそれぞれ異なる１６ビットコードを割り当てるように構成されている。そして、８／１６変調はこの変調テーブルに基づいて、元データである８ビットデータを対応する１６ビットコードに変換することで行なわれる。
【００４１】
上記変調テーブルは、８／１６変調後のコードビット１と１との間の０の連続数が基本的に２以上１０以下となるように、１６ビットコードを規定している。
ＤＶＤ−ＲＷ１には８／１６変調後の１６ビットコードに基づいて記録マークＭおよびスペースＳが形成されるので、１チャンネルビット幅をＴとすると最短の記録マークＭおよびスペースＳのマーク／スペース長は３Ｔ、最長マーク／スペース長は１１Ｔになる。
【００４２】
また、図７に示すように、各変換テーブルでは１つの８ビットデータに対して、Ｓｔａｔｅ１〜４で表される４つの異なる１６ビットコードを割り当てている。これにより、記録マークＭおよびスペースＳの形成に用いる１６ビットコードの数を増やして、オーバーライト前後の記録マークＭおよびスペースＳのエッジＥが重なるのを防止し、ひいては繰返して同じ位置にエッジＥが書き込まれることによるＤＶＤ−ＲＷ１００の記録面の劣化を防止している。
【００４３】
しかしながら、例えば、元データとして０が連続する場合、８ビットデータの０に対するＳｔｅｔｅ１のＮｅｘｔ  Ｓｔｅｔｅが１であるので、８ビットデータの０に対するＳｔｅｔｅ１の１６ビットデータ配列が繰り返して記録されることになる。そして、上書記録前及び上書記録後のいずれにおいても、元データとして同じ数値が連続する場合には、記録マークＭおよびスペースＳのエッジＥが重なる可能性が高くなる。従って、このような場合には、上述のように１つの８ビットデータに対して複数のＳｔａｔｅを割り当てる対策のみでは、ＤＶＤ−ＲＷ１００の記録面の劣化を必ずしも充分に防止することはできない。
【００４４】
そこで、前述したように、付加情報領域１１５に変動する情報である付加情報を記録することにより、オーバーライト前後でコンテンツ情報の一部の内容が同一となる場合でも、オーバーライト前後における付加情報領域１１５、ＰＯパリティ１２１及びＰＩパリティ１２２を変化させて、記録マークＭおよびスペースＳのエッジＥが重なることを防止している。
【００４５】
（Ｂ）シンクコード
次に、シンクコード１４１について説明する。
【００４６】
シンクコード１４１は、ＤＶＤ−ＲＷ１００に記録された情報を読み取る際に同期を取るための情報であり、当該シンクコード１４１は、コンテンツ情報と区別可能なコードにより定義されるシンク検出子を一部に含んで構成される。
【００４７】
先ず、従来のシンクコードについて図８を参照して説明する。図８は従来のシンクコードのパターンを示す図である。また、図８に示す「＊」は、「０」また「１」の何れかの値を示す。
【００４８】
図８に示すように、従来のシンクコードは、シンクコードを付加すべき位置の直前の情報との兼ね合い等により変化し、ＥＣＣブロック内のシンクコードの位置を特定するためのシンク種別子と、当該情報がシンクコードであることを検出させるためのシンク検出子と、で構成される。
【００４９】
特に、シンク検出子は、１４Ｔと４Ｔの１種類の組合せで定義され、このシンク検出子により当該情報がシンクコードであることが認識され、検出されるようになっている。
【００５０】
なお、本実施形態おいて、このシンク種別子は、例えば、本発明のシンクコード記録部分によって形成されるシンクコードの特定部を構成し、このシンク検出子は、本発明のシンクコード記録部分によって形成されるシンクコードを検出するための検出部を構成する。また、シンク検出子の１４Ｔおよび４Ｔは、例えば、本発明の構成要素を構成している。
【００５１】
次に、本実施形態のシンクコード１４１について図９を参照して説明する。図９は本実施形態に係るシンクコードのパターンを示す図である。また、図９に示す「＊」に、図８と同様に、「０」また「１」の何れかの値を示す。
【００５２】
図９に示すように、本実施形態のシンクコード１４１は、図８に示す従来のシンクコード１４１と同様に、シンク種別子とシンク検出子により構成される。そして、上述のように従来のシンクコード１４１のシンク検出子は１４Ｔと４Ｔの１種類の組合せで定義されるのに対し、本実施形態のシンクコード１４１のシンク検出子は１４Ｔと４Ｔの組合せ（図９（Ａ））と１６Ｔと３Ｔの組合せ（図９（Ｂ））の２種類で定義される。
【００５３】
これら２種類のパターンで定義されるシンク検出子を備えたシンクコード１４１は、後述するように、直前の電位レベル（０又は１）に基づいて何れか一方が選択される。例えば、直前の電位レベルが０の場合に１４Ｔと４Ｔの組合せによるシンク検出子を備えたシンクコード１４１が選択され、直前の電位レベルが１の場合に１６Ｔと３Ｔの組合せによるシンク検出子を備えたシンクコード１４１が選択される。
【００５４】
このように直前の電位レベルに基づいて異なるシンク検出子を備えるシンクコード１４１が選択されるので、コンテンツ情報のオーバーライト前後でシンクコード１４１を異ならせることができ、シンクコード１４１のシンク検出子を示す記録マークＭおよびスペースＳのエッジＥが重なる可能性を半減することができる。
【００５５】
なお、以上では、シンク検出子を２種類のパターンで定義する場合を示したが、３種類以上のパターンで定義することもできる。例えば、１４Ｔと４Ｔの組合せ、１６Ｔと３Ｔの組合せ、及び、１８Ｔと３Ｔの組合せの３種類のパターンでシンク検出子を定義することもできる。この場合、シンク検出子の選択の幅が更に増えるので、オーバーライト前後で、シンク検出子の記録マークＭおよびスペースＳのエッジＥが重なる確率を一層低減することができる。
【００５６】
また、本実施形態では、２つのチャンネルビット長Ｔの組み合わせによってシンク検出子が形成されているが、当該シンク検出子における何れか一のチャンネルビット幅Ｔを固定し、固定されたチャンネルビットとは異なる他のチャンネルビット幅Ｔを変えることによって、本実施形態におけるシンク検出子を構成させてもよい。例えば、１４Ｔと３Ｔの組み合わせと１４Ｔと４Ｔの組み合わせの２種類のパターンで当該シンク検出子を定義するようにしてもよい。
【００５７】
通常、シンクコードは、コンテンツ情報と区別するために、上述のように、当該シンクコード全体として一定のチャンネルビット長を有している。したがって、シンク検出子の何れか一のチャンネルビット幅Ｔを固定することにより、当該シンク検出子全体のチャンネルビット長が増減した場合には、シンク種別子全体のチャンネルビット長が変化するようになる。
【００５８】
すなわち、固定されたチャンネルビット幅Ｔの他のチャンネルビット幅Ｔのみを変えることにより、シンク種別子全体のチャンネルビット長も変化するので、シンク検出子における各チャンネルビット幅Ｔの記録マークＭまたはスペースＳの記録位置を変化させることができるようになる。
【００５９】
したがって、上述のように、シンク検出子における何れか一のチャンネルビット幅Ｔを固定し、当該シンク検出子におけるチャンネルビット幅を構成させても、後述するように、オーバーライトのたびにシンク検出子を示す記録マークＭおよびスペースＳのエッジＥが重なることが低減され、記録マークＭおよびスペースＳのエッジＥのボケをなくして記録品質を飛躍的に向上することができるようになる。
【００６０】
以上に説明した物理セクタ１４０に基づいて形態で、ＤＶＤ−ＲＷ１００の記録トラックＴ上に記録マークＭおよびスペースＳが形成されてコンテンツ情報が記録される。
【００６１】
以上に説明したように、本実施形態の記録媒体は、コンテンツ情報を記録する毎に変動する付加情報を記録するための付加情報領域１１５を設けて、当該付加情報領域１１５を符号化の対象とするＰＯパリティ１２１及びＰＩパリティ１２２を変動させ、これを８／１８変調して生成した物理セクタ１４０に基づいて記録マークＭおよびスペースＳが形成されるので、オーバーライト前後でコンテンツ情報の一部が同一である場合でも、付加情報領域１１５、ＰＯパリティ１２１及びＰＩパリティ１２２に対応する記録マークＭおよびスペースＳの形状を異ならせることができ、ひいてはオーバーライトのたびに記録マークＭおよびスペースＳのエッジＥが重なることを低減して、記録マークＭおよびスペースＳのエッジＥのボケをなくして記録品質を飛躍的に向上することができる。
【００６２】
また、本実施形態の記録媒体は、２種類のパターンで定義されるシンク検出子を含んでシンクコード１４１を構成したので、逐次異なるシンク検出子を有するシンクコード１４１を選択して付加することができ、ひいてはオーバーライトのたびにシンク検出子を示す記録マークＭおよびスペースＳのエッジＥが重なることを低減して、記録マークＭおよびスペースＳのエッジＥのボケをなくして記録品質を飛躍的に向上することができる。
【００６３】
（２）記録再生装置
次に、ＤＶＤ−ＲＷ１００に対して音楽情報や映像情報等のコンテンツ情報を記録再生する記録再生装置２００について図８を参照して説明する。図１０は、本実施形態の記録再生装置２００の概略構成を示すブロック図である。
【００６４】
図１０に示すように、本実施形態の記録再生装置２００は、ピックアップ２０１と、再生増幅器２０２と、デコーダ２０３と、プリマーク信号デコーダ２０４と、スピンドルモータ２０５と、サーボ回路２０６と、プロセッサ２０７と、エンコーダ２０８と、パワー制御回路２０９と、レーザ駆動回路２１０とにより構成されている。
【００６５】
ピックアップ２０１は、図示しないレーザダイオード、偏光ビームスプリッタ、対物レンズ、光検出器等を含み、レーザ駆動信号Ｓｄｌに基づいて光ビームＢをＤＶＤ−ＲＷ１００の情報記録面に照射し、その反射光に基づいてプリマーク、または既に記録されている情報の検出信号Ｓｄｔを出力する。
【００６６】
なお、このピックアップ２０１は、後述する再生増幅器２０２とともに、例えば、本発明における読取手段として機能する。
【００６７】
再生増幅器２０２は、ピックアップ２０１から出力されたプリマークまたは既に記録されている情報の検出信号Ｓｄｔを増幅し、プリマーク信号Ｓｐｐを出力すると共に、既に記録されている情報の増幅信号Ｓｐを出力する。
【００６８】
デコーダ２０３は、増幅信号Ｓｐからシンク検出子を検出することによりシンクコード１４１を特定して物理セクタ１４０を生成し、物理セクタ１４０を８／１６復調して記録セクタ１３０を生成し、更に、記録セクタ１３０におけるＰＯパリティ１２１をデインターリーブしてデータセクタを生成することにより復調信号Ｓｄｍ及びサーボ復調信号Ｓｓｄを出力する。このデコーダ２０３は、例えば、本発明におけるシンクコード検出手段及び再生手段の一部又は全部として機能する。
【００６９】
プリマーク信号デコーダ２０４は、プリマーク信号Ｓｐｐをデコードして復調プリマーク信号Ｓｐｄを出力する。
【００７０】
サーボ回路２０６は、復調プリマーク信号Ｓｐｄ及びサーボ復調信号Ｓｓｄに基づいて、ピックアップ２０１におけるフォーカスサーボ制御及びトラッキングサーボ制御のためのピックアップサーボ信号Ｓｓｐを出力すると共に、ＤＶＤ−ＲＷ１００を回転させるスピンドルモータ２０５の回転をサーボ制御するためのスピンドルサーボ信号Ｓｓｓを出力する。
【００７１】
これらと並行して、プロセッサ２０７は、復調プリマーク信号Ｓｐｄに基づいてプリマークを検出し、ＤＶＤ−ＲＷ１００上のアドレス情報を読み取り、これによりデータを記録するＤＶＤ−ＲＷ１００上の記録位置を検出する。また、外部から入力される記録すべきデータの記録信号Ｓｒを一時的に記憶し、アドレス情報に基づいて記録信号Ｓｒをエンコーダ２０８に出力する。なお、本実施形態の記録再生装置２００は、ＤＶＤ−ＲＷ１００に記録されているデータを再生することも可能であり、その際には、復調信号Ｓｄｍに基づいてプロセッサ２０７を介して再生信号Ｓｏｔが外部に出力されることとなる。このプロセッサ２０７は、例えば、本発明における記録部分形成制御手段、再生手段、読取制御手段および再生制御手段の一部又は全部として機能する。
【００７２】
エンコーダ２０８は、記録信号Ｓｒから得られるデータに基づいてデータセクタを形成し、当該データセクタ２０の一部に設けた付加情報領域１１５に乱数に基づいて付加情報を設定する。そして、エンコーダ２０８は、データセクタ２０から形成したデータブロックにＰＩパリティ１２２及びＰＯパリティ１２１を付加してＥＣＣブロック１２０を形成し、当該ＥＣＣブロック１２０のＰＯパリティをインターリーブして記録セクタ１３０を生成し、更に、記録セクタ１３０にシンクコード１４１を挿入して８／１６変調して物理セクタ１４０を生成し、当該物理セクタ１４０に基づいてエンコード信号Ｓｒｅを出力する。なお、エンコーダ２０８は、記録セクタ１３０にシンクコード１４１を挿入する際に、当該シンクコード１４１を挿入する位置の直前の情報に基づいて、２種類のパターンで定義されるシンク検出子の内のいずれか一方のシンク検出子を有するシンクコード１４１を挿入するかを決定し、決定したシンクコード１４１を記録セクタ１３０に挿入する。このエンコーダ２０８は、例えば、本発明におけるシンクコード選択手段の一部又は全部として機能する。
【００７３】
レーザ駆動回路２１０は、駆動信号Ｓｐに基づいて、レーザダイオードを駆動して光ビームＢを出射させるためのレーザ駆動信号Ｓｄｌを出力する。従って、ピックアップ２０１及びパワー制御回路２０９並びにレーザ駆動回路２１０は、例えば、本発明における記録部分形成手段の一部又は全部として機能する。
【００７４】
（３）記録再生装置における処理
次に、以上のように構成される記録再生装置２００を用いて、ＤＶＤ−ＲＷ１００にコンテンツ情報を記録する記録処理、及び、ＤＶＤ−Ｗ１００に記録されたコンテンツ情報を再生する再生処理について説明する。
【００７５】
（３−１）記録処理
始めに、記録再生装置２００を用いて、ＤＶＤ−ＲＷ１００にコンテンツ情報を記録する記録処理について図１１を参照して説明する。図１１はコンテンツ情報の記録処理の手順を示すフローチャートである。
【００７６】
図１１に示すように、情報記録装置２００のプロセッサ２０７は、ＤＶＤ−ＲＷ１００のプリマーク信号に基づいてプリアドレスを検出し、コンテンツ情報の記録開始位置を決定する（ステップＳ１）。
【００７７】
次いで、プロセッサ２０７は情報記録装置２００の外部入力端子（図示せず）から入力される記録信号Ｓｒをエンコーダ２０８に出力する（ステップＳ２）。
【００７８】
次いで、エンコーダ２０８は、記録信号Ｓｒに基づいてデータセクタにおける単位セクタ１１０を生成する（ステップＳ３）。具体的には、エンコーダ２０８は、図２に示すように１７２バイト×１２行の配列構造をとる単位セクタ１１０の主データ領域に記録信号Ｓｒに対応するデータを代入し、また、ＩＤ領域１１２、ＩＥＤ領域１１３、ＲＳＶ域１１４及びＥＤＣ領域１１６にそれぞれＩＤ、ＩＥＤ、ＲＳＶ及びＥＤＣを代入する。そして、更に、付加情報領域１１５に乱数に基づく付加情報を代入してデータセクタを生成する。
【００７９】
なお、付加情報領域１１５に付加情報を代入するには、先ず、エンコーダ２０８に含まれるプロセッサ（図示せず）で乱数を発生さる。本実施形態では、図３に示すように、付加情報領域１１５は１バイトの領域であるので、発生させる乱数は０〜２５５の内のいずれかとなる。次いで、発生させた乱数を２進法で表した情報を付加情報として、付加情報領域１１５に代入する。
【００８０】
次いで、エンコーダ２０８は、ステップＳ３で生成した単位セクタ１１０に基づいてＥＣＣブロック１２０を生成する（ステップＳ４）。具体的には、エンコーダ２０８は、１７２バイト（列）×１２行の単位セクタ１１０を１６個連結して１７２バイト（列）×１９２行の配列構造を生成する。その後、１７２列の各列に対して１６バイトのＰＯパリティ１２１を付加し、更に、ＰＯパリティ１２１を含む２０８行の各行に対して１０バイトのＰＩパリティ１２２を付加してＥＣＣブロック１２０とする。
【００８１】
次いで、エンコーダ２０８は、ステップ４で生成したＥＣＣブロック１２０に基づいて記録セクタ１３０を生成する（ステップＳ５）。具体的には、エンコーダ２０８は、ＥＣＣブロック１２０において１６行のＰＯパリティ１２１を一行ずつ各単位セクタ１１０の最終行にインターリーブすることで、図５に示す記録セクタ１３０を生成する。
【００８２】
次いで、エンコーダ２０８は、ステップＳ５で生成した記録セクタ１３０に基づいて物理セクタ１４０を生成し、当該物理セクタ１４０に基づいてエンコード信号Ｓｒｅを出力する（ステップＳ６）。
【００８３】
具体的には、エンコーダ２０８は、先ず、１８２バイト×１３行の記録セクタ１３０において、各行を９１バイトずつに２等分し、それぞれの先頭にシンクコード１４１を付加する。本実施形態では、エンコーダ２０８は、このようにシンクコード１４１を付加するにあたり、シンクコード１４１を付加する位置の直前に位置する分割データの最終位置の電位レベル（０又は１）を検出し、検出した電位レベルに基づいて、２種類のシンク検出子の内のいずれか一方のシンク検出子を有するシンクコード１４１を選択する。例えば、検出した電位レベルが０の場合に１４Ｔと４Ｔの組合せによるシンク検出子を備えたシンクコード１４１を選択し、検出した電位レベルが１の場合に１６Ｔと３Ｔの組合せによるシンク検出子を備えたシンクコード１４１を選択する。そして、選択したシンクコード１４１を該当位置に付加する。
【００８４】
なお、エンコーダ２０８は、当該操作を各行の２等分データのそれぞれについて繰り返し、全ての２等分データの先頭にシンクコード１４１を付加する。
【００８５】
次いで、エンコーダ２０８は、シンクコード１４１を付加した情報について、図７に示す変調テーブルを用いて８／１６変調を行ない、図６に示す物理セクタ１４０を生成し、当該物理セクタ１４０に基づいてエンコード信号Ｓｒｅを出力する。
【００８６】
次いで、パワー制御回路２０９は、ステップＳ６で出力されたでエンコード信号Ｓｒｅに基づいて、ＤＶＤ−ＲＷ１００に記録マークＭまたはスペースＳを形成する（ステップＳ７）。具体的には、パワー制御回路２０９は、エンコード信号Ｓｒｅに基づいて、レーザ駆動回路２１０を制御してピックアップ２０１から所定のレーザ光Ｂを照射させ、当該レーザ光ＢによりＤＶＤ−ＲＷ１００に所定の記録マークＭまたはスペースＳを形成する（ステップＳ７）。
【００８７】
そして、コンテンツ情報の全ての情報の記録が完了したかを判断する（ステップＳ８）。全ての情報の記録が完了していない場合は以上の処理を繰り返し、全ての情報の記録が終了した場合は当該記録処理を終了する。
【００８８】
（３−２）再生処理
次に、記録再生装置２００を用いて、ＤＶＤ−ＲＷ１００に記録されたコンテンツ情報を再生する場合の処理について図１２を参照して説明する。図１２はコンテンツ情報の再生処理の手順を示すフローチャートである。
【００８９】
先ず、情報記録装置２００のプロセッサ２０７は、ＤＶＤ−ＲＷ１００のプリマーク信号に基づいてプリアドレスを検出し、コンテンツ情報の再生開始位置を決定する（ステップＳ１１）。
【００９０】
次いで、ピックアップ２０１は、光ディスク１００にレーザ光を照射し、その照射光に対するＤＶＤ−ＲＷ１００からの反射光を受光して受光強度に応じた検出信号Ｓｄｔを出力し、再生増幅器２０２は検出信号Ｓｄｔを所定のレベルまで増幅させて増幅信号Ｓｐを出力する（ステップＳ１２）。
【００９１】
次いで、デコーダ２０３は、増幅信号Ｓｐに基づいて記録セクタ１３０を生成する（ステップＳ１３）。
【００９２】
具体的には、デコーダ２０３は、先ず、図７に示す変調テーブルを用いて８／１６復調を行なう。次いで、デコーダ２０３は、８／１６復調後のデータ中のシンクコード１４１を検出することで同期化をして記録セクタ１３０を生成する。
シンクコード１４１の検出は、デコーダ２０３に含まれるシンクコード検出部（図示せず）により行なわれ、シンクコード検出部は、図９に示す２種類のシンク検出子の内のいずれか１つが検出されたときに当該領域をシンクコード１４１として検出する。
【００９３】
次いで、デコーダ２０３は、ステップＳ１３で生成した記録セクタ１３０に基づいてＥＣＣブロック１２０を生成する（ステップＳ１４）。具体的には、デコーダ２０３は、記録セクタ１３０を１６個連結し、当該連結後の記録セクタ１３０についてＰＯパリティ１２１をデインターリーブすることによりデータセクタを生成する。
【００９４】
次いで、デコーダ２０３はステップＳ１４で生成したＥＣＣブロック１２０に基づいて単位セクタ１１０を生成し、当該単位セクタ１１０に基づいて復調信号Ｓｄｍを出力する（ステップＳ１５）。具体的には、デコーダ２０３は、ＥＣＣブロック１２０のＰＯパリティ１２１及びＰＩパリティ１２２を用いて誤り訂正した後に、１６個に分割して単位セクタ１１０を形成する。そして、デコーダ２０３は生成した単位セクタ１１０に基づいて復調信号Ｓｄｍをプロセッサ２０７に出力する。
【００９５】
次いで、プロセッサ２０７は、Ｄ／Ａコンバータ（図示せず）で復調信号Ｓｄｍをアナログ情報信号に変換し、外部のディスプレイ及びスピーカ等に出力する（ステップＳ１６）。
【００９６】
そして、コンテンツ情報の全ての情報の再生が完了したかを判断する（ステップＳ１７）。全ての情報の再生が完了していない場合は以上の処理を繰り返し、全ての情報の再生が終了した場合は当該記録処理を終了する。
【００９７】
（４）変形形態
なお、上記実施形態では、上書可能な記録媒体としてＤＶＤ−ＲＷ１００を用いる場合について説明したが、これに限られることなく、上書可能な記録媒体としてＭＯ（Ｍａｇｎｅｔｏ−Ｏｐｔｉｃａｌ  Ｄｉｓｃ）やＭＤ（Ｍｉｎｉ  Ｄｉｓｃ）等の光磁気記録方式の記録媒体を用いることができる。
【００９８】
また、上記実施形態では、記録再生装置２００に含まれるデコーダ２０３をシンクコード検出手段及び再生手段とて機能させ、また、ピックアップ２０１、パワー制御回路２０９及びレーザ駆動回路２１０を記録部分形成手段として機能さ、更に、エンコーダ２０８をシンクコード選択手段として機能せたが、記録再生装置２００に含まれるプロセッサ２０７を、ＲＯＭに保存されたコンピュータプログラムで上記各手段として機能させてもよい。
【００９９】
更に、本発明は前述した実施形態に限定されるものではなく、特許請求の範囲に記載された発明の範囲内で、様々に変形又は変更することが可能である。
【０１００】
以上説明したように、本実施形態では、上書記録が可能なＤＶＤ−ＲＷ１００であって、所望のコンテンツ情報を表わすコンテンツ情報を記録する記録マークＭおよびスペースＳと、コンテンツ情報の読出しの際に同期をとるシンクコード１４１を表わすシンクコードを記録する記録マークＭおよびスペースＳと、が形成され、シンクコードを記録する記録マークＭおよびスペースＳが、少なくとも２種類のパターンで定義され、当該シンクコード１４１として検出されるためのシンク検出部を少なくとも有する当該シンクコード１４１を形成する構成を有している。
【０１０１】
これによれば、逐次異なるシンク検出子を有するシンクコード１４１を選択して付加することができ、ひいてはオーバーライトのたびにシンク検出子を示す記録マークＭおよびスペースＳのエッジＥが重なることを低減して、記録マークＭおよびスペースＳのエッジＥのボケをなくして記録品質を飛躍的に向上することができる。
【０１０２】
このＤＶＤ−ＲＷ１００において、シンクコードを記録する記録マークＭおよびスペースＳが、パターン毎に長さの異なるマークパターンまたはスペースパターンで定義されるシンク検出子を少なくとも有する当該シンクコード１４１を形成する構成を有している。
【０１０３】
これによれば、シンク検出子を長さの異なる記録マークＭまたはスペースＳで定義するので、シンク検出子を表わす記録マークＭおよびスペースＳのエッジが重ならないようにすることができ、上記作用効果を一層確実なものとする。
【０１０４】
また、このＤＶＤ−ＲＷ１００において、シンクコードを記録する記録マークＭおよびスペースＳが、ＤＶＤ−ＲＷ１００の周方向に対して、コンテンツ情報を記録する記録マークＭおよびスペースＳにおける最大長の記録マークＭおよびスペースＳより長い記録マークＭおよびスペースＳにより定義されるシンク検出子を少なくとも有する当該シンクコード１４１を形成するシンクコードにおける記録マークＭおよびスペースＳが、記録媒体１００の周方向に対して、コンテンツにおける記録マークＭおよびスペースＳにおける最大長の記録マークＭおよびスペースＳより長い記録マークＭおよびスペースＳにより定義される検出子を少なくとも有する構成をしている。
【０１０５】
これによれば、コンテンツ情報とシンクコードとを当該シンク検出子により容易に識別することができる。
【０１０６】
また、本実施形態では、所望のコンテンツ情報を表わすコンテンツ情報の記録マークＭおよびスペースＳと、少なくとも２種類のパターンで定義され、当該シンクコード１４１として検出されるためのシンク検出子を少なくとも有する当該シンクコード１４１を形成するシンクコードを記録する記録マークＭおよびスペースＳと、とを記録する記録再生装置２００であって、シンクコードの記録マークＭおよびスペースＳにおけるシンクコード１４１の種別の何れか１を選択するエンコーダ２０８と、コンテンツ情報を記録する記録マークＭおよびスペースＳと選択されたシンクコード１４１で形成されたシンク検出子を有するシンクコード１４１を形成するシンクコードの記録マークＭおよびスペースＳとをＤＶＤ−ＲＷ１００に形成するピックアップ２０１、パワー制御回路２０９３、レーザ駆動回路２１０と、を備えた構成を有している。
【０１０７】
これによれば、逐次異なるシンク検出子を有するシンクコード１４１を選択して、当該異なるシンク検出子を有するシンクコード１４１を示すシンクコードの記録マークＭおよびスペースＳを形成することができ、ひいてはオーバーライトのたびにシンク検出子を示す記録マークＭおよびスペースＳのエッジＥが重なることを低減して、記録マークＭおよびスペースＳのエッジＥのボケをなくしてＤＶＤ−ＲＷ１００の記録品質を飛躍的に向上することができる。
【０１０８】
また、本実施形態では、コンテンツ情報における記録マークＭおよびスペースＳとシンクコードにおける記録マークＭおよびスペースＳをＤＶＤ−ＲＷ１００から読み取るピックアップ２０１と、読み取られたシンクコードにおける記録マークＭおよびスペースＳの情報に含まれるシンク検出子の情報に基づいてシンクコード１４１を検出するデコーダ２０３と、検出したシンクコード１４１に基づいてコンテンツ情報を再生するプロセッサ２０７と、を備えた構成を有している。
【０１０９】
これによれば、複数のパターンで定義されるシンクコードを含むシンクコード１４１を検出することができ、当該シンクコード１４１に基づいてコンテンツ情報を再生することができる。
【０１１０】
また、本実施形態では、シンクコードの記録マークＭおよびスペースＳにおけるシンクコード１４１の種別の何れか１を選択するシンクコード選択工程と、コンテンツ情報における記録マークＭおよびスペースＳと選択されたシンクコード１４１で形成されたシンク検出子を有するシンクコード１４１を形成するシンクコードにおける記録マークＭおよびスペースＳとをＤＶＤ−ＲＷ１００に形成する記録マーク形成工程と、を含む構成を有している。
【０１１１】
これによれば、逐次異なるシンク検出子を有するシンクコード１４１を選択して、当該異なるシンク検出子を有するシンクコード１４１を示すシンクコードにおける記録マークＭおよびスペースＳを形成することができ、ひいてはオーバーライトのたびにシンク検出子を示す記録マークＭおよびスペースＳのエッジＥが重なることを低減して、記録マークＭおよびスペースＳのエッジＥのボケをなくしてＤＶＤ−ＲＷ１００の記録品質を飛躍的に向上することができる。
【０１１２】
また、本実施形態では、コンテンツ情報における記録マークＭおよびスペースＳとシンクコードにおける記録マークＭおよびスペースＳをＤＶＤ−ＲＷ１００から読み取る読取工程と、読み取られたシンクコードにおける記録マークＭおよびスペースＳの情報に含まれるシンク検出子の情報に基づいてシンクコード１４１を検出するシンクコード検出工程と、検出したシンクコード１４１に基づいてコンテンツ情報を再生する再生工程と、を含む構成を有している。
【０１１３】
これによれば、複数のパターンで定義されるシンク検出子を含むシンクコード１４１を検出することができ、当該シンクコード１４１に基づいてコンテンツ情報を再生することができる。
【図面の簡単な説明】
【図１】実施形態に係るＤＶＤ−ＲＷの情報記録面の構成を示す図である。
【図２】実施形態に係るデータセクタにおける単位セクタの構造を示す模式図である。
【図３】実施形態に係る付加情報領域の構造を示す模式図である。
【図４】実施形態に係るＥＣＣブロックの構造を示す模式図である。
【図５】実施形態に係る記録セクタの構造を示す模式図である。
【図６】実施形態に係る物理セクタの構造を示す模式図である。
【図７】実施形態に係る８／１６変調に用いる変調テーブルを示す図である。
【図８】従来のシンクコードのパターンを示す図である。
【図９】実施形態に係るシンクコードのパターンを示す図である。
【図１０】本実施形態に係る記録再生装置の概略構成を示すブロック図である。
【図１１】実施形態に係るコンテンツ情報の記録処理の手順を示すフローチャートである。
【図１２】実施形態に係るコンテンツ情報の再生処理の手順を示すフローチャートである。
【符号の説明】
１００  ＤＶＤ−ＲＷ
１０２  クランプ孔
１０３  リードイン領域
１０４  データ記録領域
１０５  リードアウト領域
１１０  単位セクタ
１１２  ＩＤ領域
１１３  ＩＥＤ領域
１１４  ＲＳＶ領域
１１５  付加情報領域
１１６  ＥＤＣ領域
１２０  ＥＣＣブロック
１２１  ＰＯパリティ
１２２  ＰＩパリティ
１３０  記録セクタ
１４０  物理セクタ
１４１  シンクコード
Ｔ  記録トラック
Ｍ  記録部分
Ｅ  エッジ
２００  記録再生装置
２０１  ピックアップ
２０２  再生増幅器
２０３  デコーダ
２０４  プリマーク信号デコーダ
２０５  スピンドルモータ
２０６  サーボ回路
２０７  プロセッサ
２０８  エンコーダ
２０９  パワー制御回路
２１０  レーザ駆動回路
【図１】
2005056464.tif 000003
【図２】
2005056464.tif 000004
【図３】
2005056464.tif 000005
【図４】
2005056464.tif 000006
【図５】
2005056464.tif 000007
【図６】
2005056464.tif 000008
【図７】
2005056464.tif 000009
【図８】
2005056464.tif 000010
【図９】
2005056464.tif 000011
【図１０】
2005056464.tif 000012
【図１１】
2005056464.tif 000013
【図１２】
2005056464.tif 000014